(57)【要約】【課題】利用者に対する複雑な処理の説明表示を改善する。【解決手段】画像処理システム１０は、例えば（ａ）〜（ｅ）に示すように、用紙に対する画像処理を含む処理であって、画像または用紙に対する一連の処理を行うことができる。そして、利用者は、指示を行うことで、実行対象となる処理を設定することができる。画像処理装置１０は、この一連の処理を模擬した動画を表示させる機能をもつ。すなわち、（ａ）〜（ｅ）の各場面を含むような動画を表示させることができる。【選択図】図２
2008046366.tif 000002
【特許請求の範囲】
【請求項１】
用紙に対する画像処理を含む処理であって、画像または用紙に対する一連の処理を行う処理手段と、
利用者の指示に基づいて、実行対象となる処理を設定する設定手段と、
処理の流れを模擬した動画を表示する表示手段と、
を備える画像処理装置。
【請求項２】
請求項１に記載の画像処理装置において、
表示手段は、表示する動画を変更する機能を備える画像処理装置。
【請求項３】
請求項２に記載の画像処理装置において、
表示手段は、利用者の指示に基づいて動画を変更する画像処理装置。
【請求項４】
請求項２に記載の画像処理装置において、
表示手段は、利用者が処理の設定を指示した履歴に基づいて動画を変更する画像処理装置。
【請求項５】
請求項２に記載の画像処理装置において、
表示手段は、利用者の指示に基づいて動画を表示し、利用者が動画表示を指示した履歴に基づいて動画を変更する画像処理装置。
【請求項６】
請求項２に記載の画像処理装置において、
表示手段は、一部または全部の処理を強調する動画に変更する画像処理装置。
【請求項７】
請求項１に記載の画像処理装置において、
表示手段は、動画の表示を中断し、表示を中断された処理に関して利用者に設定を指示させるための表示を行う機能を備える画像処理装置。
【請求項８】
請求項７に記載の画像処理装置において、
表示手段は、表示を中断された処理に関して利用者が設定を指示した場合に、表示を中断された処理または設定を指示された処理に基づいて表示再開位置を決定し、動画の表示を再開する機能を備える画像処理装置。
【請求項９】
請求項１または８に記載の画像処理装置において、
表示手段は、異なる二以上の画像処理を対比する動画を表示する画像処理装置。
【請求項１０】
請求項１に記載の画像処理装置において、
表示手段は、設定手段で設定された処理についての動画を表示する画像処理装置。
【請求項１１】
請求項１０に記載の画像処理装置において、
表示手段は、利用者の指示に基づいて動画を表示し、
当該画像処理装置は、設定された処理が複雑である場合に、表示手段に動画を表示させるための指示を利用者に促す手段を備える画像処理装置。
【請求項１２】
請求項１に記載の画像処理装置において、
表示手段は、利用者が問い合わせた処理についての動画を表示する画像処理装置。
【請求項１３】
請求項１に記載の画像処理装置において、
表示手段が表示する動画には、利用者の指示手順の流れを模擬した動画が含まれる画像処理装置。
【請求項１４】
請求項１に記載の画像処理装置において、
処理は、画像に対する動的な処理を含む画像処理装置。
【請求項１５】
請求項１に記載の画像処理装置において、
処理は、用紙に対する機械的な処理を含む画像処理装置。
【請求項１６】
請求項１に記載の画像処理装置において、
処理は、画像の送信処理を含む画像処理装置。
【請求項１７】
請求項１に記載の画像処理装置と、
用紙から画像を読み取る読取装置と、
を備え、
用紙に対する画像処理は、読取装置が用紙から画像を読み取る処理である画像処理システム。
【請求項１８】
請求項１に記載の画像処理装置と、
用紙へ画像を印刷する印刷装置と、
を備え、
用紙に対する画像処理は、印刷装置が用紙へ画像を印刷する処理である画像処理システム。
【請求項１９】
用紙に対する画像処理を含む処理であって、画像または用紙に対する一連の処理を行う処理手段と、
利用者の指示に基づいて、実行対象となる処理を設定する設定手段と、
処理の流れを模擬した動画を表示する表示手段と、
を備える画像処理装置としてコンピュータを機能させる制御プログラム。
【発明の詳細な説明】
【技術分野】
【０００１】
本発明は、画像処理装置、画像処理システム及び制御プログラムに関する。
【背景技術】
【０００２】
画像処理装置では、利用者に対し、文字や画像による説明機能を備えていることが多い。
【０００３】
下記特許文献１には、プリンタの状態に応じた静止画を表示する技術や、一連の静止画を順次表示する技術が開示されている。この文献では、印刷中のプリンタの印刷速度が高速である場合には表示速度を速めるなど、動作速度に応じて一連の静止画の表示速度を変更する技術や、印刷中のプリンタの印刷頁数に応じて頁残量の表示を減らすなど、動作量に応じて表示する静止画を変更する技術も記載されている。
【０００４】
下記特許文献２には、パソコンから印刷を指示するためのグラフィック・ユーザ・インターフェースが示されている。そして、ユーザの視線がありそうな位置に、決められた時間、メッセージを表示する技術が開示されている。
【０００５】
下記特許文献３には、表示装置にスローモーション表示を行う技術が開示されている。この技術では、原フレームのコピーを表示することで、スローモーションを行っている。
【０００６】
下記特許文献４には、複数の静止画像を動的に表示する方法についての技術が開示されている。具体的には、シナリオに応じた時間間隔の変更、ズーム、振動、回転運動の付加、彩色、彩度、明度の付加などを行っている。
【０００７】
また、関連技術が記された文献としては、下記特許文献５乃至７を挙げることができる。
【０００８】
【特許文献１】特開平７−２３７３３９号公報
【特許文献２】特開平６−２３０９１８号公報
【特許文献３】特開平７−２２２１１４号公報
【特許文献４】特開２００１−１３９３９号公報
【特許文献５】特開２０００−１２３１５９号公報
【特許文献６】特開２００３−１２５１２５号公報
【特許文献７】特開２００１−１１１７５１号公報
【発明の開示】
【発明が解決しようとする課題】
【０００９】
本発明の目的は、画像処理装置の利用者に対する複雑な処理の説明表示を改善することにある。
【００１０】
本発明の別の目的は、画像処理装置の説明表示における利用者の使いやすさを向上させることにある。
【課題を解決するための手段】
【００１１】
本発明の画像処理装置は、用紙に対する画像処理を含む処理であって、画像または用紙に対する一連の処理を行う処理手段と、利用者の指示に基づいて、実行対象となる処理を設定する設定手段と、処理の流れを模擬した動画を表示する表示手段と、を備える。
【００１２】
本発明の画像処理装置の一態様においては、表示手段は、表示する動画を変更する機能を備える。
【００１３】
本発明の画像処理装置の一態様においては、表示手段は、利用者の指示に基づいて動画を変更する。
【００１４】
本発明の画像処理装置の一態様においては、表示手段は、利用者が処理の設定を指示した履歴に基づいて動画を変更する。
【００１５】
本発明の画像処理装置の一態様においては、表示手段は、利用者の指示に基づいて動画を表示し、利用者が動画表示を指示した履歴に基づいて動画を変更する。
【００１６】
本発明の画像処理装置の一態様においては、表示手段は、一部または全部の処理を強調する動画に変更する。
【００１７】
本発明の画像処理装置の一態様においては、表示手段は、動画の表示を中断し、表示を中断された処理に関して利用者に設定を指示させるための表示を行う機能を備える。
【００１８】
本発明の画像処理装置の一態様においては、表示手段は、表示を中断された処理に関して利用者が設定を指示した場合に、表示を中断された処理または設定を指示された処理に基づいて表示再開位置を決定し、動画の表示を再開する機能を備える。
【００１９】
本発明の画像処理装置の一態様においては、表示手段は、異なる二以上の画像処理を対比する動画を表示する。
【００２０】
本発明の画像処理装置の一態様においては、表示手段は、設定手段で設定された処理についての動画を表示する。
【００２１】
本発明の画像処理装置の一態様においては、表示手段は、利用者の指示に基づいて動画を表示し、当該画像処理装置は、設定された処理が複雑である場合に、表示手段に動画を表示させるための指示を利用者に促す手段を備える。
【００２２】
本発明の画像処理装置の一態様においては、表示手段は、利用者が問い合わせた処理についての動画を表示する。
【００２３】
本発明の画像処理装置の一態様においては、処理は、画像に対する動的な処理を含む。
【００２４】
本発明の画像処理装置の一態様においては、処理は、用紙に対する機械的な処理を含む。
【００２５】
本発明の画像処理装置の一態様においては、処理は、画像の送信処理を含む。
【００２６】
本発明の一態様における画像処理システムは、前記画像処理装置と、用紙から画像を読み取る読取装置と、を備え、用紙に対する画像処理は、読取装置が用紙から画像を読み取る処理である。
【００２７】
本発明の一態様における画像処理システムは、前記画像処理装置と、用紙へ画像を印刷する印刷装置と、を備え、用紙に対する画像処理は、印刷装置が用紙へ画像を印刷する処理である。
【００２８】
本発明の制御プログラムは、用紙に対する画像処理を含む処理であって、画像または用紙に対する一連の処理を行う処理手段と、利用者の指示に基づいて、実行対象となる処理を設定する設定手段と、処理の流れを模擬した動画を表示する表示手段と、を備える画像処理装置としてコンピュータを機能させる。
【発明の効果】
【００２９】
請求項１の本発明によれば、用紙に対する画像処理を含む一連の処理を直感的に理解することが可能になる。
【００３０】
請求項２の本発明によれば、多様な動画を変更することができる。
【００３１】
請求項３の本発明によれば、利用者の要望に応じて動画を変更することができる。
【００３２】
請求項４の本発明によれば、利用者が処理設定を行った実績に応じて動画を変更することができる。
【００３３】
請求項５の本発明によれば、利用者が動画を見ている度合いに応じて動画を変更することができる。
【００３４】
請求項６の本発明によれば、利用者の理解を向上させることが可能となる。
【００３５】
請求項７の本発明によれば、利用者の設定指示が容易になる。
【００３６】
請求項８の本発明によれば、設定後の動画表示における冗長性を排除することができる。
【００３７】
請求項９の本発明によれば、設定の差異が明瞭となる。
【００３８】
請求項１０の本発明によれば、設定の確認が容易化される。
【００３９】
請求項１１の本発明によれば、必要性が高い場合に動画表示を行わせることが可能となる。
【００４０】
請求項１２の本発明によれば、不明な処理についての理解が容易となる。
【００４１】
請求項１３の本発明によれば、利用者は設定手順を容易に把握できるようになる。
【００４２】
請求項１４の本発明によれば、画像の動きを視覚的に確認できる。
【００４３】
請求項１５の本発明によれば、用紙に対する処理を視覚的に確認できる。
【００４４】
請求項１６の本発明によれば、送信態様を視覚的に確認できる。
【００４５】
請求項１７の本発明によれば、読み取り対象となる用紙のセット方法を確認することができる。
【００４６】
請求項１８の本発明によれば、用紙への出力態様が確認でき、印刷の無駄を抑制することが可能となる。
【００４７】
請求項１９の本発明によれば、用紙に対する画像処理を含む一連の処理を直感的に理解することが可能になる。
【発明を実施するための最良の形態】
【００４８】
以下に本実施の形態について例示する。
【００４９】
図１は、本実施の形態にかかる画像処理システム１０の機能構成について説明するブロック図である。画像処理システム１０は、演算制御装置（例えばＣＰＵ）や記憶装置（例えば半導体メモリや磁気ディスク）などのコンピュータハードウエアや、スキャナ、プリンタなどの画像処理専用ハードウエアの動作を、プログラム制御することで構築できる。各ハードウエアは、分散配置され通信可能な設定がなされたものでもよいし、単一の筐体内に格納されたものでもよい。また、プログラムは、工場出荷時にインストールされてもよいし、工場出荷後に記憶媒体やネットワーク経由でインストールされてもよい。
【００５０】
画像処理システム１０には、データや命令の通信路であるバス１２が設けられ、バス１２に対し各機能要素が接続されている。スキャナ１４は、用紙を読み取って、スキャン画像データを生成する読取装置である。プリンタ１６は、印刷画像データに基づいて用紙に対し印刷を行う印刷装置である。プリンタ１６においては、両面印刷や、Ｎｕｐ印刷（Ｎページの画像データを縮小して同一ページに印刷する）などを行うことができる。
【００５１】
給排紙部１８は、用紙に対し機械的処理を行うハードウエアであり、スキャナやプリンタが使用する用紙の給入、排出、回転、反転などを行ったり、プリンタから排出される用紙の折り曲げ、ホチキス留め、並べ替え（ソート）などを行ったりする。
【００５２】
画像処理部２０は、画像データを生成したり加工したりする画像処理を行う。画像処理には、画像データに対する動的処理、すなわち、画像の回転、反転、拡大・縮小、分割、合成などが含まれる。
【００５３】
送信部２２は、ＦＡＸあるいは電子メールにより、画像データを外部に送信する装置である。制御部２４は、バス１２における通信や、各機能要素の制御を行う。
【００５４】
ＵＩ（ユーザインタフェース）２６は、ディスプレイと、ディスプレイ表面のタッチ入力装置などを用いて構築される。ディスプレイ上には、ユーザ（利用者）に情報を表示する画面や、ユーザから指示を受け付けたりする画面が表示される。ＵＩ２６には、設定入力部２８、説明指示部３０、動画表示部３２が含まれる。
【００５５】
設定入力部２８は、画像処理システム１０に実行させる処理をユーザが指示するためのものである。また、説明指示部３０は、機能説明を要求する指示をユーザが行うためのものであり、「ヘルプ機能」と呼ばれることもある。説明指示部３０からは、説明の実行や再実行の指示を行うことができる他、説明対象となる処理を指定したり、説明を強調するアノテーションを指定（言い換えれば命令を付与）したりすることができる。動画表示部３２は、処理を説明するための動画（ユーザの設定を説明する動画が含まれてもよい）を表示するものである。典型的には、動画処理部３２は、処理について仮想的に実行した態様を模擬的に表示する（シミュレーションする）。ここで、動画とは、動的に表示される画像をいい、静止画像の連続再生であっても、動画形式の画像の再生であってもよい。ユーザ認証部３４は、画像処理システム１０を利用するユーザを認証するものである。認証は、パスワード認証であっても、カード認証や生体認証であってもよい。
【００５６】
履歴データベース３６は、ユーザ別の履歴データを管理するデータベースである。履歴データベース３６には、ユーザが設定入力部２８から設定した（かつ実行した）処理について記録した設定履歴データ３８と、ユーザが説明指示部３０から指示した説明について記録した説明履歴データ４０とが含まれる。動画データベース４２は、動画表示部３２で動画表示するための各種の説明データ４４を管理するデータベースである。
【００５７】
続いて、画像処理システム１０の動作について簡単に説明する。ユーザは、ＵＩ２６を通じてユーザＩＤとパスワードを入力し、ユーザ認証部３４の認証を受けて、画像処理システム１０にログインする。そして、設定入力部２８から、実行させる処理の設定を行う。設定にあたり、ユーザは、説明指示部３０を通じて、処理についての説明を行うよう指示することができる。例えば、処理機能がわからない設定について説明させたり、一応設定を行ったが具体的動作に確信が持てない場合に説明をさせたりすることができる。動画表示部３２は、説明指示部３０から指示された説明を行うための動画を表示する。具体的には、動画表示部３２は、動画データベース４２から説明データを検索して、その表示を行う。
【００５８】
なお、ユーザは、説明指示部３０において、強調して説明して欲しい処理を設定することができる。この場合には、動画表示部３２は、スローモーション再生（標準の速度に比べて遅い速度で表示する）、輝度や彩度の変更（強調対象の着色や点滅など）、背景画像の簡略化（ハイライト表示）、表示サイズの変更などを行う。強調は、全時間帯（全ての処理）において行うことも可能であるし、一部の時間帯（一部の処理）について行うことも可能である。また、ユーザは、説明を省略したり、早送りしたりする処理を選択することも可能である。このような選択は、動画表示中に行えるようにしてもよい。
【００５９】
動画表示部３２は、設定履歴データに基づいて、ユーザの設定経験が乏しい設定（例えば、経験回数がある回数以下のものや、前回の設定から設定時間以上経過しているもの）については強調説明を行い、ユーザの設定経験が豊富な設定については通常の説明を行うようにすることもできる。さらに、動画表示部３２は、説明履歴データに基づいて、ユーザが頻繁に説明を受けているものや、何度も巻き戻し表示させているもの（これらは、頻度や回数が所定値以上によって抽出することができる）については強調表示をするように設定することもできる。あるいは、設定入力部２８から設定された処理が複雑である場合（これは、例えば、処理の工程数や、画像・用紙に回転や合成など理解困難な所定の処理が１又は２以上含まれるか否かで判定することができる）に、ユーザに説明を受けるよう促す表示をＵＩ２６上に行うことも可能である。
【００６０】
ユーザは、動画表示部３２による動画の表示中に、設定入力部２８に画面を切り替え、設定を変更したりすることができる。設定入力部２８を通じて追加や変更が行われた場合には、追加や変更された設定についての動画表示を、追加や変更された箇所（あるいは画面が切り替えられた中断箇所）やその直前箇所（例えば、所定時間前や、一つ前の処理）から行わせることもできる。もちろん、最初から動画を開始するようにしてもよい。また、ユーザは、動画表示部３２による動画の終了後はもちろんのこと、表示中であっても、動画表示中の処理を実際に実行させることができる。
【００６１】
実行指示があった場合、スキャナ１４、プリンタ１６、給排紙部１８、及び画像処理部２０は、それぞれ指示された処理を行う。スキャナ１４、プリンタ１６、給排紙部１８、及び画像処理部２０における処理は、一連の処理として設定され実行されることも多い。
【００６２】
次に、図２乃至図４を用いて、動画表示の具体例について説明する。
【００６３】
図２は、コピー（スキャン及び印刷）から小冊子作成に至るまでの一連の処理について、動画表示における典型的な場面を（ａ）〜（ｅ）として示した図である。図２（ａ）では、画像処理システム１０の用紙セット位置に、「あ」と記載された１枚目の用紙５０や「い」と記載された２枚目の用紙５２などの複数の用紙が、横向きに置かれている。図２（ｂ）は、印刷出力される横向きの用紙５４を示している。用紙５４には、左側に用紙５０に記載された「あ」が縦配置され、右側に用紙５２に記載された「い」が縦配置された２ｕｐ印刷（２ページの画像データが１枚の用紙に印刷される）がなされている。図２（ｃ）では、この用紙５４の中央線に沿って、二箇所でホチキス５６が留められている（ステープル処理）。そして、図２（ｄ）では、ホチキス留めされた中心線を折り曲げ線５８として、「あ」と「い」が印刷された面を内側に折り曲げる処理がなされている。また、図２（ｅ）は、折り曲げられた用紙５４が出力される様子を示している。
【００６４】
ユーザは、この一連の動画を見ることで、用紙５０と用紙５２をどの向きにどの順番にセットすればいいのか理解することができる。また、ユーザは、ホチキス留め位置や、折り曲げの方向などが適切か否かも、あらかじめ確認することができる。
【００６５】
図３は、図２に示した動画処理中に動画表示が中断され、設定画面に切り替えられる態様について示す図である。図３の（ａ）〜（ｃ）までは、図２の（ａ）〜（ｃ）までと全く同じ動画の同じ場面を示している。ここでは、ユーザは、図３（ｃ）の場面でホチキス５６が留められたことを見て、意図しない設定がなされたことに気づいている。そして、ユーザは、切り替え指示を行って、図３（ｄ）に示したウインドウ６０を表示させている。ここでウインドウとは、ディスプレイ内に一又は二以上設けられる表示区画をいい、他の表示区画と並べて、あるいは重ねて表示することができる。
【００６６】
ウインドウ６０には、現在の設定が即実行できるものであることを示す「コピーできます」の表示がある他、「小冊子作成」の設定入力を行う表示もなされている。すなわち、小冊子作成の設定は、「しない」、「左／上とじ」で行う、「右とじ」で行うの三つの中から選択可能であり、現在は「左／上とじ」が選択されていることがマークによって示されている。また、小冊子作成において、「折」処理と「ホチキス」処理を「する」か否かは、チェックマークで設定可能になっており、現在は「折」処理及び「ホチキス」処理がともに「する」の設定にされている。
【００６７】
図３（ｅ）には、ユーザが設定変更した後のウインドウ６０が表示されている。ここでは、「折」処理を「する」とのチェックマークのみが削除されている。すなわち、「折」処理をせず、「ホチキス」処理のみを「する」との設定がなされている。図３（ｅ）のウインドウ６０には、依然として「コピーできます」の表示がなされており、ユーザはこの設定に従う処理を直ちに実行させることができる。
【００６８】
図４は、図３（ｅ）の設定後、動画表示を再開する例を示す図である。図４（ａ）は、図３（ｅ）と全く同じ場面を表している。そして、図４の（ｂ）〜（ｄ）は、図４（ａ）の場面で、ユーザが動画の再開を指示した場合に表示される動画の場面を表している。
【００６９】
図４の（ｂ）〜（ｄ）では、設定変更前の動画である図２の（ｃ）〜（ｅ）に示した動画が右側に表示され、設定後における対応する動画が左側に表示されている。また、動画の再開は、前に動画を中断した処理であり、かつ、設定変更が反映される処理であるホチキス留めの場面から行われている。具体的には、図４（ｂ）においては、用紙５４の中央にホチキス５６を留める処理に代えて、用紙５４の左側にホチキスを留める処理が行われることが示されている。そして、図４（ｃ），（ｄ）では、設定後に折り曲げ処理が行われずに、用紙５４が出力される旨が表示されている。
【００７０】
なお、ここでは、設定の変更前と変更後を対比的に表示する態様について示したが、代わりに、設定がある場合とない場合（例えば、ホチキス設定がある場合とない場合）について対比したり、ユーザの設定と標準設定とを対比したりすることも可能である。また、対比する表示は、並べて表示するのではなく、重ねあわせて表示することでも可能である。
【００７１】
次に、図５及び図６を用いて、表示を変更する態様について例示する。
【００７２】
図５（ａ）は、実行させる処理を設定するウインドウ８０において、動画表示の変更を指示する例を示しており、図５（ｂ）は、その結果表示される動画表示変更用のウインドウ９０を示している。図５（ａ）に示したウインドウ８０には、現在の設定がいつでも実行可能である旨が「コピーできます」によって示されている他、基本コピーについての設定項目が示されている。具体的には、「倍率選択」を「自動」「１００％」「１４１％」「７０％」「詳細設定」から選択可能であり、現在は「１４１％」に設定されていることが示されている。また、「用紙選択」については、「自動」「トレイ１」「トレイ２」「トレイ３」「トレイ４」から選択可能であり、現在は「自動」に設定されていることが示されている。さらに、ウインドウ８０を「閉じる」ボタン、「両面／片面」印刷を切り替えるボタン、「濃度調整」を行うボタンが表示されている。そして、動画表示については、「説明」の実行を指示するボタンと、説明についてアノテーション指示を行う「説明設定」ボタンが表示されている。
【００７３】
図５（ａ）において、「説明指示」ボタンが押された場合、図５（ｂ）のウインドウ９０が表示される。ウインドウ９０には、アノテーション設定用のウインドウである旨を示す「アノテーション指定できます」との表示がなされている。また、ウインドウ９０には、「設定機能リスト」として、チェック可能な「倍率選択」「用紙選択」「両面／片面」「濃度調整」の各項目が示されている。チェックは複数の項目に入れることができる。そして、ここでは、「倍率選択」にチェックが入れられている。これは、動画表示において、倍率選択の箇所を強調表示するよう命令したことを示している。ユーザは、ウインドウ９０の「説明」ボタンを押すことで、あるいは「戻る」ボタンを押してウインドウ８０に戻ってからウインドウ８０の「説明」ボタンを押すことで、倍率選択について強調表示した動画説明を表示させることができる。強調表示は、例えば、倍率表示の設定箇所を、スローモーション再生したり、ハイライト表示したりすることで行われる。
【００７４】
図６は、表示変更の制御について示したフローチャートである。ユーザから「説明」ボタンが押されるなど、動画表示の指示がなされた場合には、まず、図５に示したアノテーションの設定の有無が調べられる（Ｓ１０）。そして、アノテーション指定がある場合には、アノテーションに従った強調表示を行うように、動画表示方法に変更されて（Ｓ１２）、動画が表示される（Ｓ１６）。また、アノテーション指定がない場合であっても、説明対象となる処理についての設定を、ユーザが過去に所定回数以下しか実行したことがない場合には（Ｓ１４）、全体を強調表示するように動画表示方法が変更されて（Ｓ１２）、動画が表示される（Ｓ１６）。他方、ユーザが過去に何度も設定したことのある処理であれば、表示方法を変更することなく、標準の態様で動画が表示される（Ｓ１６）。
【００７５】
動画の表示中に再設定操作を行う旨の指示があると（Ｓ１８）、指示があった時点で表示されている処理について設定を行う画面に移行する（Ｓ２０）。このような画面は、ディスプレイの一部のみを占めるウインドウとして表示されてもよいし、ディスプレイの全面を占めるように表示されてもよい。
【００７６】
また、動画の表示中に追加処理を設定する指示があると（Ｓ２２）、追加可能な処理の一覧を示す画面に移行する（Ｓ２４）。追加可能な処理とは、現在設定中の処理と矛盾することなく、重ねて設定できる処理である。
【００７７】
さらに、動画の表示中に実行開始の指示があると（Ｓ２６）、実行を開始し、実行状態を監視する画面に移行する（Ｓ２８）。
【図面の簡単な説明】
【００７８】
【図１】画像処理システムの機能構成例を示すブロック図である。
【図２】動画表示の例を示す図である。
【図３】動画表示中に設定画面に移行する例を示す図である。
【図４】設定後に動画表示を再開する例を示す図である。
【図５】強調表示のためのアノテーション設定の例を示す図である。
【図６】表示の変更の制御例を示すフローチャートである。
【符号の説明】
【００７９】
１０  画像処理システム、１２  バス、１４  スキャナ、１６  プリンタ、１８  給排紙部、２０  画像処理部、２２  送信部、２４  制御部、２６  ＵＩ、２８  設定入力部、３０  説明指示部、３２  動画表示部、３４  ユーザ認証部、３６  履歴データベース、３８  設定履歴データ、４０  説明履歴データ、４２  動画データベース、４４  説明データ、５０，５２，５４  用紙、５６  ホチキス、５８  折り曲げ線、６０  ウインドウ、８０  ウインドウ、９０  ウインドウ。
【図１】
2008046366.tif 000003
【図２】
2008046366.tif 000004
【図３】
2008046366.tif 000005
【図４】
2008046366.tif 000006
【図５】
2008046366.tif 000007
【図６】
2008046366.tif 000008